(57)【特許請求の範囲】
【請求項１】
ＮＡＳシグナリングによる移動無線通信ネットワークにおけるＭＢＭＳベアラ制御の方法であって、複数のＭＢＭＳベアラの制御のためにＮＡＳ信号を利用することを含み、１つのステップにおいて、要求される前記複数のＭＢＭＳベアラの再確立を可能にしたことを特徴とする、方法。
【請求項２】
前記制御は前記ＭＢＭＳベアラの確立を含む、請求項１に記載の方法。
【請求項３】
前記制御は前記ＭＢＭＳベアラの再構成を含む、請求項１に記載の方法。
【請求項４】
前記制御は前記ＭＢＭＳベアラの解放を含む、請求項１に記載の方法。
【請求項５】
前記ＮＡＳシグナリングはセッション管理シグナリングから成る、請求項１〜４のいずれか一項に記載の方法。
【請求項６】
前記セッション管理信号はセッション管理制御要求信号から成る、請求項５に記載の方法。
【請求項７】
前記セッション管理信号はセッション管理制御応答信号から成る、請求項５に記載の方法。
【請求項８】
前記ＮＡＳ信号による多重ＭＢＭＳ・ＥＰＳベアラ制御のために構成される、請求項１〜７のいずれか一項に記載の方法。
【請求項９】
前記ＮＡＳ信号はＭＢＭＳ・ＥＰＳベアラのリストを含む、請求項８に記載の方法。
【請求項１０】
前記ＮＡＳ信号は、サービング・ゲートウェイとＭＭＥエンティティとの間で送信される専用ＭＢＭＳベアラ信号メッセージにおけるＭＢＭＳ・ＥＰＳベアラのリストを含む、請求項８に記載の方法。
【請求項１１】
前記ＮＡＳ信号による多重ＭＢＭＳベアラ・サービス制御のために構成される、請求項１〜５のいずれか一項に記載の方法。
【請求項１２】
ＮＡＳシグナリングによるＭＢＭＳベアラ制御を提供するように構成される、移動無線通信ネットワーク内で動作するための移動無線通信装置であって、複数のＭＢＭＳベアラの制御のためのＮＡＳ信号を提供するように構成され、１つのステップにおいて、要求される前記複数のＭＢＭＳベアラの再確立を可能にしたことを特徴とする、装置。
【請求項１３】
ＮＡＳシグナリングがセッション管理シグナリングから成るように構成される、請求項１２に記載の装置。
【請求項１４】
前記ＮＡＳ信号による多重ＭＢＭＳ・ＥＰＳベアラ制御のために構成される、請求項１２又は１３に記載の装置。
【請求項１５】
前記ＮＡＳ信号により制御される多重ＭＢＭＳベアラ・サービスのために構成される、請求項１２、１３、又は１４に記載の装置。
【請求項１６】
前記ネットワークから受信されるベアラ制御要求信号に応答するように構成される、請求項１２〜１５のいずれか一項に記載の装置。
【請求項１７】
ＮＡＳシグナリングによるＭＢＭＳベアラ制御を提供するように構成される、移動無線通信ネットワークと共に動作するための移動無線ネットワーク装置であって、複数のＭＢＭＳベアラの制御のためのＮＡＳ信号を受信及び／又は提供するように構成され、１つのステップにおいて、要求される前記複数のＭＢＭＳベアラの再確立を可能にしたことを特徴とする、ネットワーク装置。
【請求項１８】
前記ＮＡＳシグナリングはセッション管理シグナリングから成る、請求項１７に記載のネットワーク装置。
【請求項１９】
前記ＮＡＳ信号による多重ＭＢＭＳ  ＥＰＳベアラ制御のために構成される、請求項１７又は１８に記載のネットワーク装置。
【請求項２０】
前記ＮＡＳ信号による多重ＭＢＭＳベアラ・サービス制御のために構成される、請求項１７、１８、又は１９に記載のネットワーク装置。
【請求項２１】
請求項１２〜１６のいずれか一項において規定されるような移動無線通信装置に前記ＮＡＳ信号を配送すると共に、前記ネットワーク内のＭＭＥから複数のＭＢＭＳベアラの制御のためのＮＡＳ信号を受信するように構成される、請求項１７〜２０のいずれか一項に記載のネットワーク装置。
【発明の詳細な説明】
【技術分野】
【０００１】
本発明は、ベアラの確立、再構成、又は解放を提供することができるＭＢＭＳベアラ制御の方法、並びに、そのようなベアラ制御を提供する移動無線通信装置及び関連するネットワーク装置に関する。
【背景技術】
【０００２】
既知のマルチメディア・ブロードキャスト・マルチキャスト・サービス（ＭＢＭＳ）の特徴に関しては、ＭＢＭＳユーザ・サービスが複数のＭＢＭＳベアラ・サービスのうちの１つによって提供することができることである。
【０００３】
たとえば、ロング・ターム・エボリューション（ＬＴＥ）シナリオにおいて、ＭＢＭＳベアラ・サービスは、幾つかのＭＢＭＳ進化型パケット・システム（Evolved Packet System）（ＥＰＳ）ベアラを利用することができ、該ＭＢＭＳ・ＥＰＳベアラのそれぞれは、特定のメディア・ストリーム、すなわちボイス・オーバーＩＰマルチメディア・サブシステム（ＶｏＩＭＳ）及びリアルタイム・ゲームのような異なるトラフィック・タイプに特化している。メディア・ストリームがそのように複数のＭＢＭＳ・ＥＰＳベアラにわたって拡散していることは、無線ベアラの、要求されるレイヤ２のサービス品質（ＱｏＳ）を達成するのに役立つ。
【０００４】
したがって、通常、ストリーミングＭＢＭＳユーザ・サービスは、ビデオ・メディア・ストリームのための１つのＭＢＭＳ・ＥＰＳベアラ及び音声メディア・ストリームのための別のＭＢＭＳ・ＥＰＳベアラ上で搬送される。
【０００５】
また、ＬＴＥ・ＱｏＳ及びユニバーサル移動通信サービス（ＵＭＴＳ）ＱｏＳは、異なる粒度（granularities）を有することが既知であり、これによって異なるメディア・ストリームの拡散がさらに提供される。たとえば、ＵＭＴＳ・ＱｏＳ内に、会話型メディア・クラス、ストリーミング・メディア・クラス、インタラクティブ・メディア・クラス、及びバックグラウンド・メディアク・ラスを含む４つの異なるメディア・クラスが存在し、ＭＢＭＳストリーミング・ベアラ・サービスによって、ＭＢＭＳストリーマ・ユーザ・サービス要件を満たすことができる。
【０００６】
ＬＴＥ・ＱｏＳに関して、保証伝送速度（ＧＢＲ）及び非ＧＢＲを含む２つのクラスが存在し、たとえばスピーチ・メディアのためのＧＢＲベアラ、及びたとえばビデオ・メディアのための非ＧＢＲベアラによって、ＭＢＭＳストリーミング・ユーザ・サービス要件を満たすことができる。
【０００７】
また、たとえばＭＢＭＳサービスのためのＥ−ＵＴＲＡＮへの無線アクセス技術（ＲＡＴ）ハンドオーバ時に、多くのＭＢＭＳコンテキストが存在する場合があることが理解される。このようなシナリオにおいて、目標Ｅ−ＵＴＲＡＮシステムにおけるベアラを、移動無線通信装置ユーザ機器（ＵＥ）の方向において再確立するようにコア・ネットワーク（ＣＮ）が構成される。各ＭＢＭＳコンテキストは、３ＧＰＰ・ＲＡＴハンドオーバの間に移動管理エンティティ（ＭＭＥ）によって実施することができるＱｏＳマッピングに基づき、１つのＭＢＭＳ・ＥＰＳベアラにマッピングされる。次に、Ｅ−ＵＴＲＡＮへのハンドオーバが行われると、ＭＭＥは、以前に確立したＱｏＳマッピングに起因して複数の進行中のベアラを再確立するように要求され得る。
【０００８】
現在、ネットワークとＵＥとの間に発生するシグナリングは、ＭＢＭＳベアラ・サービス又は実際にはＭＢＭＳ・ＥＰＳベアラの順次的な確立を提供し、それによって様々なメディア・ストリーム及びコンテキストが順次的に確立される。
【０００９】
そのような順次シグナリングは、複数のＭＢＭＳ・ＥＰＳベアラの再構成及び解放の間にも発生する。
【００１０】
そのような既知の動作方法は、ＭＢＭＳサービス受信に対し不利な影響を有し、また、たとえばＥ−ＵＴＲＡＮ及びＳ１インタフェースにおいて、ＥＰＳシステムにおける潜在的なシグナリング・オーバヘッドをもたらす。
【発明の概要】
【発明が解決しようとする課題】
【００１１】
本発明は、既知のそのような方法及び装置に勝る利点を有する、ＭＢＭＳベアラ制御の方法、並びに関連する移動無線通信装置及び移動無線通信ネットワーク装置を提供することを目的とする。
【課題を解決するための手段】
【００１２】
本発明の第１の態様によれば、非アクセス層（ＮＡＳ）シグナリングによる移動無線通信ネットワークにおけるＭＢＭＳベアラ制御の方法であって、複数のＭＢＭＳベアラの制御のためにＮＡＳ信号を利用することを含む、方法が提供される。
【００１３】
本発明の別の態様によれば、上記ＮＡＳシグナリングによるＭＢＭＳベアラ制御を提供するように構成される、移動無線通信ネットワーク内で動作するための移動無線通信装置であって、複数のＭＢＭＳベアラの制御のためのＮＡＳ信号を提供するように構成される、装置が提供される。
【００１４】
本発明のさらなる態様によれば、ＮＡＳシグナリングによるＭＢＭＳベアラ制御を提供するように構成される、移動無線通信ネットワークと共に動作するための移動無線通信ネットワーク装置であって、複数のＭＢＭＳベアラの制御のためのＮＡＳ信号を受信及び／又は提供するように構成される、ネットワーク装置が提供される。
【００１５】
これより、本発明を、添付の図面を参照して、例としてのみさらに説明する。
【図面の簡単な説明】
【００１６】
【図１】現行の技術によるＭＢＭＳ・ＥＰＳベアラ確立に関するシグナリング図である。
【図２】同様のシグナリング図であるが、本発明の一実施形態により発生するシグナリングを示すシグナリング図である。
【発明を実施するための形態】
【００１７】
したがって、最初に図１を参照すると、ＬＴＥ・ＭＢＭＳベースのシナリオ内で、ＭＢＭＳマルチキャスト・サービスが起動されると発生するシグナリングが示されている。
【００１８】
ネットワーク構成は、携帯電話ハンドセットのようなＵＥ１０と、ｅＮＢとしてのネットワーク・ノード１２と、ＭＭＥ１４と、サービング・ゲートウェイ（ＧＷ）１６と、ブロードキャスト／マルチキャスト・サービス・センター（ＢＭＳＣ）１８とを備える。
【００１９】
シグナリングは、ＩＰマルチキャスト・アドレスを含み、ネットワークを通じてサービングＧＷ１６に配送される、インターネット・グループ管理プロトコル（ＩＧＭＰ）信号２０から開始する。
【００２０】
次に、図示されるようにＭＢＭＳ動作は承認され、これによって、要求されるメディア・ストリームのうちの１つのための、サービングＧＷ１６からＭＭＥ１４への要求信号２２が生じる。要求されるメディア・ストリームは、厳密な実施形態では例えばビデオであり、したがって、効果的には、ビデオ・ベアラのためのトンネル・エンドポイントを含む。
【００２１】
応答して、ベアラ・セットアップ要求信号２４がＭＭＥ１４からｅＮＢ１２へ送信される。より詳細には、ベアラ・セットアップ要求信号２４は、連結されるＥＰＳベアラ識別情報、ＩＰＭＣアドレス、及び第１のＭＢＭＳ・ＥＰＳベアラのトラフィック・フロー・テンプレート（ＴＦＴ）への参照子を含む、セッション管理（ＳＭ）構成要求から成る、ＮＡＳメッセージを含む。
【００２２】
ＮＡＳメッセージから成る無線ベアラ・セットアップ要求２６は、次に効果的にｅＮＢ１２からＵＥ１０へ転送される。返答して、ＵＥ１０は、第１のＭＢＭＳ・ＥＰＳベアラに関連するＳＭ構成応答を含むＮＡＳメッセージから成る、無線ベアラ・セッアップ応答２８自体を発行する。
【００２３】
セットアップ応答は、ｅＮＢ１２において受信されると、次に信号３０としてＭＭＥ１４に配送される。ＭＭＥは、サービングＧＷ１６に配送される応答信号３２によって専用ベアラの作成を確認する。
【００２４】
ビデオ・メディア・ストリームのために要求されるベアラは、このようにして作成される。
【００２５】
図示される実施形態において、次に、音声メディア・ストリームのようなさらなる要求されるメディア・ストリームに関連して同様のシナリオが進行する。
【００２６】
すなわち、専用ベアラ作成要求３４が、サービングＧＷ１６からＭＭＥ１４に配送される。これは次に、ＳＭ構成要求、連結されるＥＰＳベアラ識別情報、ＩＰＭＣアドレス、及びＴＦＴを有する第２のＭＢＭＳ・ＥＰＳベアラから成る、ＮＡＳメッセージとしてｅＮＢ１２に配信される。
【００２７】
ｅＮＢ１２からの無線ベアラ・セットアップ・メッセージ３８は、次にＵＥ１０において受信され、後続の応答４０がｅＮＢ１２に返され、さらにＭＭＥ１４に配送される。後続の応答４０は、信号４２として、ｅＮＢ１２からＭＭＥ１４へ転送される。
【００２８】
ＭＭＥ１４は次に、サービングＧＷ１６に配送される、さらなる応答信号４４によって専用ベアラの作成を確認し、それによって、音声メディア・ストリームのために要求される第２の無線ベアラの確立を確認することができる。
【００２９】
上述され、図１に示されるそのようなプロセスは、他のメディア・ストリーム・ベアラが要求される限り継続することができる。
【００３０】
図１を参照することにより理解されるように、要求されるＭＢＳベアラの確立は、非常に順次的なプロセスであり、本発明は、このことによって、ＥＰＳシステムにおいて不利なサービス受信制限及びシグナリング負荷がもたらされ得ると結論付けた。
【００３１】
次に図２を参照すると、本発明の一実施形態に従って発生するシグナリングが示されている。
【００３２】
ここでもまた、シグナリングは、図１に示されるような、ＵＥ１０、ｅＮＢ１２、ＭＭＥ１４、サービングＧＷ１６、及びＢＭＳＣ１８に関連して示される。
【００３３】
図２も、ＭＢＭＳ承認に続いて発生するシグナリングを示している。ここで専用ベアラ要求信号４６がサービングＧＷ１６からＭＭＥ１４に配送され、この専用ベアラ要求信号は、たとえばビデオ・ストリーム及び音声ストリームの双方のような全ての要求されるメディア・ストリームに関連している。したがって、信号４６は、ビデオ・ベアラ及び音声ベアラのためのトンネル・エンド・ポイントのリストを含む。
【００３４】
次に、適切なベアラ・セットアップ要求４８が、ＭＭＥ１４からｅＮＢ１２へ配送される。ここでもまた、ベアラ・セットアップ要求は、ビデオ・メディア・ストリーム及び音声メディア・ストリームの双方に関連している。
【００３５】
図１に関連して示されるシグナリングと同様に、ベアラ・セットアップ要求４８は、連結されるＥＰＳベアラＩＤ及びＩＰＭＣアドレスデータを有するＮＡＳ・ＳＭ構成要求メッセージから成るが、複数のＭＢＭＳ・ＥＰＳベアラ・アイデンティティ及び複数のＴＦＴも含み、ＴＦＴのそれぞれは、複数のメディア・ストリームのうちの１つ、この例ではビデオ・メディア・ストリーム及び音声メディア・ストリームに関連するベアラ・アイデンティティに関連する。
【００３６】
次に、ＮＡＳ無線ベアラ・メッセージ５０がｅＮＢ１２からＵＥ１０に配送される。次にＵＥは、無線ベアラ・セットアップ応答５２を生成するが、この無線ベアラ・セットアップ応答は、ここでもまたＮＡＳ・ＳＭ構成から成るが、今回は２つのベアラのためのＭＢＭＳ・ＥＰＳベアラ・アイデンティティを含むＮＡＳ・ＳＭ構成応答メッセージを含む。
【００３７】
次に、ベアラ・セットアップ応答５４がｅＮＢ１２からＭＭＥ１４へさらに配送され、ＭＭＥからサービングＧＷ１６への、専用ベアラの作成を確認すると共にビデオ・ベアラ及び音声ベアラのためのトンネル・エンド・ポイントのリストから成る信号５６によって、プロシージャが完了する。
【００３８】
したがって、図２を参照することにより理解されるように、複数の要求される無線ベアラの確立は、効果的には１つのステップで完了し、これによって、ＭＢＭＳサービング受信が向上することに関連するユーザ体験の向上、また、そうでなければＥＰＳシステムにわたって発生することになるシグナリング負荷の低減がもたらされる。
【００３９】
本発明は、ＮＡＳ（ＳＭ）シグナリング・メッセージ内にＭＢＭＳ・ＥＰＳベアラのリストを含むという新規の概念を提示することを理解されたい。
【００４０】
またさらに、サービングＧＷとＭＭＥエンティティとの間の、通常Ｓ１インタフェースから成る専用ＭＢＭＳベアラ・シグナリング・メッセージにおけるＭＢＭＳ・ＥＰＳベアラのリストを提供することができる。
【００４１】
本発明のさらなる特徴として、ＭＭＥ１４は、ＭＢＭＳ・ＥＰＳベアラのための複数のトンネル・エンド・ポイントを含む、図示される専用ベアラ要求信号５６を処理するように構成することができる。
【００４２】
本発明が、従来技術の順次的ステップと比較して１つのステップにおいて、要求される複数のベアラの再確立を可能にする限り、ユーザ体験は、サービス受信の向上によって向上することができ、ＥＰＳシステム内のシグナリング過負荷も同様に有利に回避することができる。
【００４３】
特に、上記制御はＭＢＭＳベアラの確立、再構成、又は解放のうちの１つを含むことができる。
【００４４】
当然ながら、上記ＮＡＳシグナリングは、セッション管理シグナリングから成ることができる。
【００４５】
さらに、セッション管理信号は、セッション管理制御要求信号、又は実際にはセッション管理制御応答信号から成ることができる。
【００４６】
本方法は、上記ＮＡＳ信号による多重ＭＢＭＳ・ＥＰＳベアラ制御のためにさらに構成することができる。
【００４７】
上記ＮＡＳ信号は、ＭＢＭＳ・ＥＰＳベアラのリスト、及び／又はサービング・ゲートウェイとＭＭＥエンティティとの間で送信される専用ＭＢＭＳベアラ信号メッセージにおけるＭＢＭＳ・ＥＰＳベアラのリストを含むことができる。
【００４８】
したがって、上記ＮＡＳ信号によって、多重ＭＢＭＳベアラ・サービス制御を有利に達成することができる。
【００４９】
ＮＡＳシグナリングはセッション管理シグナリングから成ることができ、装置は、上記ＮＡＳ信号による多重ＭＢＭＳ・ＥＰＳベアラ制御のためにさらに構成することができる。
【００５０】
上記ＮＡＳ信号によって、複数のＭＢＭＳベアラ・サービスも制御することができる。
【００５１】
そして、装置はネットワークから受信されるベアラ制御要求信号に応答することもできる。
【００５２】
ここでもまた、ＮＡＳシグナリングはセッション管理シグナリングから成ることができ、装置は、上記ＮＡＳ信号による多重ＭＢＭＳ・ＥＰＳベアラ制御のために構成することができる。
【００５３】
装置は、上記ＮＡＳ信号による多重ＭＢＭＳ・ＥＰＳベアラ制御のために構成することもでき、及び／又は上記ＮＡＳ信号を上記で定義したような移動無線通信装置に配送するように構成することもできる。
【００５４】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５５】
この出願は、２００７年１２月１３日に出願された、英国特許出願第０７２４３１５．７号を基礎とする優先権を主張し、その開示の全てをここに取り込む。
【図１】
0005408452.tif 000002
【図２】
0005408452.tif 000003